(57)【要約】【課題】  スタジオ内の様子を外から見ることが可能であるとともに、外光の影響を受けずに良好な仕上がりの人物写真が得られる写真撮影スタジオと撮影システムを提供する。【解決手段】  外光が入る様な窓を有するスタジオで撮影を行うもので、撮影直前の外光光量を検知して、その検知情報に基づいて撮影時の照明手段の発光量を外光光量よりも多くする様に制御して人物撮影を行う写真撮影スタジオと撮影システム。【選択図】        図２
2005303868.tif 000002
【特許請求の範囲】
【請求項１】
撮影時に被写体を照射する照明手段と、
内部に外光が入る窓と、
撮影直前の外光の光量を検知する検知手段と、
撮影時における該照明手段からの光量を制御する制御手段と、を有し、
該制御手段は、該検知手段が検知した検知結果に基づいて、該照明手段の光量が外光の光量よりも多くなる様に該照明手段の出力を制御するものであることを特徴とする人物写真撮影用の写真撮影スタジオ。
【請求項２】
外光の存在下で被写体である人物の撮影を行う撮影システムであって、
被写体を撮影する撮影手段と、
撮影時に被写体を照射する照明手段と、
撮影時における該照明手段の発光量を制御する制御手段と、
撮影直前の外光の光量を検知する検知手段と、を有し、
該制御手段は、前記検知手段が検知した検知結果に基づいて、該照明手段の発光量を制御するものであることを特徴とする撮影システム。
【請求項３】
前記検知手段は、前記撮影手段の作動に同期して前記撮影直前時の外光の光量を検知するものであることを特徴とする請求項２に記載の撮影システム。
【請求項４】
請求項１に記載の写真撮影スタジオ、あるいは、請求項２または３に記載の撮影システムにより撮影されてなることを特徴とする人物写真。
【発明の詳細な説明】
【技術分野】
【０００１】
本発明は人物写真を撮影する写真撮影スタジオ及び撮影システムに関し、特に、スタジオ内の様子を外から見ることが可能な写真撮影スタジオと、外光が存際する状況下で外光の影響を受けることなく美しい仕上がりの人物撮影が可能な撮影システムに関する。
【背景技術】
【０００２】
写真館に代表される写真撮影スタジオで専門のカメラマンにより行われる写真撮影は、高品質な写真画像を求めるユーザの間では依然として人気のある撮影方法である。そして、被写体となる顧客やモデルが元気で生き生きとした表情の写真が撮れる様にスタジオの撮影環境を整えることはとても重要なことである。また、写真スタジオでの写真撮影がとても魅力的なものであることを多くの人に理解してもらい、スタジオに足を運ぶお客を増やすことは写真館を経営する上で非常に重要なビジネス戦略となる。
【０００３】
ところが、現状の写真スタジオの多くはこれらを満足しにくい構造を有している。すなわち、多くの写真スタジオは外部から見ることのできない密室構造をとるものが多く、写真館の横を通る人が多くいても中で撮影がどの様に行われているのか見ることができない構造になっている。また、スタジオの密閉された環境は被撮影者に精神的な圧迫感を与えてしまうことが多く、中にはその圧迫感から気分が悪くなってしまう人もおり、せっかくの写真が暗い表情で撮影されてしまうこともある。これは、被撮影者及び写真スタジオの経営者の両者にとって不都合なことである。
【０００４】
この様な視点から、外からスタジオ内部が見られる様な窓を写真スタジオに設けることが考えられ、スタジオとして使用可能な部屋に窓を配置することが開示されている技術もある。（例えば、特許文献１参照。）しかしながら、この文献はダンススタジオとして使用可能な部屋に窓を設けるもので、写真スタジオに窓を設けることを示唆するものではなかった。
【０００５】
また、写真スタジオでは高品質な写真画像を得るために、撮影時の照明条件を厳密に設定することがよく行われており、この様な撮影時の照明条件を設定する技術に関する文献がある。例えば、被写体とストロボなどの照明手段の位置関係に着目して、写真スタジオの空間を３次元座標で規定し、被写体やライトの位置をその３次元座標に基づいて設定する技術（例えば、特許文献２参照）や、撮影時のライティング条件をデジタルカメラ等の撮影手段で撮影した画像データとともに記憶装置に記憶しておいて、写真撮影時に記憶装置から記録しておいたストロボ条件を用いて最適なライティング条件を設定する技術（例えば、特許文献３参照）、さらには、外部から撮影可能な窓を有するとともに被写体に照射される光を制御する光制御手段を有する箱形簡易スタジオ（例えば、特許文献４参照）といったものが挙げられる。
【０００６】
この様に、写真スタジオでは、照明条件を厳密に設定した上で写真撮影が行われるもので、写真スタジオに窓を設けるとスタジオ内に外光の影響が入り良い仕上がりとなる照明条件を設定することがとても難しくなる。したがって、内部が見られる様な大きな窓を写真スタジオに設けるということはこれまで行われていなかった。
【特許文献１】特開２０００−１０４４１０号公報（段落０００８等参照）
【特許文献２】特開２００１−３５０１８２号公報（段落０００８等参照）
【特許文献３】特開平１１−２４１３８号公報（段落０００８等参照）
【特許文献４】特開２０００−２３５２１７号公報（段落０００６等参照）
【発明の開示】
【発明が解決しようとする課題】
【０００７】
本発明は、上記課題を鑑みてなされたもので、スタジオ内の様子を外から見ることができる様にするとともに、外光の影響のない良好な画質を有する人物写真の得られる写真撮影スタジオを提供することを目的とするものである。
【課題を解決するための手段】
【０００８】
本発明者は、写真撮影スタジオに窓を設けることによりスタジオ内に発生する外光の影響を相殺する様に、撮影時のストロボの発光条件を適宜設定して撮影が行える様な写真撮影スタジオを考え、検討を経て本発明に到った。すなわち、
〔１〕  撮影時に被写体を照射する照明手段と、内部に外光が入る窓と、撮影直前の外光の光量を検知する検知手段と、撮影時における該照明手段からの光量を制御する制御手段と、を有し、該制御手段は、該検知手段が検知した検知結果に基づいて、該照明手段の光量が外光の光量よりも多くなる様に該照明手段の出力を制御するものであることを特徴とする人物写真撮影用の写真撮影スタジオ。
【０００９】
また、本発明の課題は下記の構成よりなる撮影システムでも解消するものであることを確認した。すなわち、
〔２〕  外光の存在下で被写体である人物の撮影を行う撮影システムであって、被写体を撮影する撮影手段と、撮影時に被写体を照射する照明手段と、撮影時における該照明手段の発光量を制御する制御手段と、撮影直前の外光の光量を検知する検知手段と、を有し、該制御手段は、前記検知手段が検知した検知結果に基づいて、該照明手段の発光量を制御するものであることを特徴とする撮影システム。
【００１０】
〔３〕  前記検知手段は、前記撮影手段の作動に同期して前記撮影直前時の外光の光量を検知するものであることを特徴とする前記〔２〕に記載の撮影システム。
【００１１】
〔４〕  前記〔１〕に記載の写真撮影スタジオ、あるいは、前記〔２〕または〔３〕に記載の撮影システムにより撮影されてなることを特徴とする人物写真。
【発明の効果】
【００１２】
本発明によれば、写真撮影スタジオに外光が入るレベルの窓を設けていても、外光の影響を受けない良好な仕上がりのポートレート写真を提供することが可能になるとともに、スタジオ内の様子を外から見られる様にしているので、不特定多数の人が写真撮影スタジオでの写真撮影の機会に触れられる様になって、スタジオでの本格的な写真撮影に興味や関心を示すお客を増大させ、写真館をはじめとするスタジオ撮影のビジネスチャンスを飛躍的に増大させることを可能にした。
【００１３】
また、従来の様な写真撮影スタジオの様な密閉性を解消することができたので、被撮影者に圧迫感を与えずに快適な状態で撮影を行える様になり、生き生きとした表情をとらえた写真を得られる様になって撮影を行った顧客の満足度を大きく増大させた。
【発明を実施するための最良の形態】
【００１４】
本発明は、スタジオ内に外光が十分に入る大きさの窓を有する写真撮影スタジオ、及び外光の存在する状況下で外光の影響を受けずに美しい仕上がりの人物写真を得られる撮影システムに関する。
【００１５】
以下、本発明について詳細に説明する。
【００１６】
最初に、本発明に係る写真撮影スタジオでの撮影について説明する。写真撮影スタジオでは、被写体に対して撮影意図に応じた最適なライティング状態を設定した後、撮影手段であるカメラに同期してストロボライトを閃光させて撮影を行う。本発明に係る写真撮影スタジオでは、スタジオ内に外光が入っている状態で撮影を行っても外光の影響による撮影不良を発生させずに、顧客が満足する美しい仕上がりの人物写真を作成することが可能である。図１は、本発明に係る写真撮影スタジオでの撮影を示すイメージ図である。
【００１７】
写真撮影スタジオ１には、図１に示す様に被写体Ｈの周囲に照明手段である各種ライト１１（１１ａ〜１１ｅ）が配置されている。写真撮影に使用される具体的なライトとしては、フロントライト、メインライト、バックグラウンドライト、アクセントライト、トップライト、スカイライト等の照明装置が挙げられる。また、図１の写真撮影スタジオ１は後方に背景となるロールスクリーン１２を有するもので、ロールスクリーン１２は状況に応じて上下方向に垂下する。
【００１８】
図１の写真撮影スタジオ１における撮影は、ロールスクリーン１２を背景にしてこれらのライトの位置や各々の出力（調光）を変えて被写体Ｈを撮影する。各種ライトは撮影意図に応じて適切なものを選択して撮影に使用することが一般的である。また、これらのライトにストロボ発光用のランプを設け、ストロボライトとしての使用も可能である。
【００１９】
図１に示す様に、本発明に係る写真撮影スタジオ１の壁部に窓１３が配置され、スタジオ１内の撮影の様子が外部から見学できる様になっており、スタジオ内での撮影の様子をギャラリーＧに見せることによりギャラリーＧが写真撮影スタジオ１での写真撮影を行いたくなる様にするねらいを持っている。
【００２０】
また、窓１３はスタジオ内から外の様子を見ることができる様にすることで、撮影に不慣れな被写体Ｈが緊張感や圧迫感を持たずに快適な気分で撮影を行える様にするねらいを持っている。
【００２１】
写真撮影スタジオ１では、外光からの影響を受けない最適なライティング状態を形成し、カメラマン等の撮影者がカメラを操作して被写体Ｈの撮影を行う。カメラのシャッタが作動すると、これに同期してストロボライトが閃光し、被写体Ｈの撮影が行われる。
【００２２】
次に、本発明に係る撮影システムについて説明する。図２は本発明に係る撮影システムを示すブロック図で前述の写真撮影スタジオ１を有するものである。
【００２３】
本発明に係る撮影システム２は、被写体Ｈを撮影する撮影手段であるカメラ２１、カメラ２１で撮影を行う際に被写体Ｈにストロボ照明を行うストロボライト２５（２５ａ〜２５ｃ、前述の照明ライト１１と同じ個所に配置してもよい。）、撮影時のストロボライト２５の発光量の制御等写真撮影スタジオ１での写真撮影に使用される各種装置の作動を制御する制御装置（コンピュータ）２３、撮影直前の写真撮影スタジオ１内の撮影環境を検知する検知センサ２４より構成される。また、写真撮影スタジオ１の壁部には前述した様に窓部１３が設けられ、外のギャラリーＧがスタジオ内を見ることができる様になっている。
【００２４】
図２の撮影システムでは、メインライト２５ａとトップライト２５ｂ、バックグラウンドライト２５ｃが配置され、これらのストロボライトは前述の照明ライト１１として使用していたものに照明用のライトとは別にストロボ発光用のライトとして設けられたものである。ストロボライト２５は図２に示す様にストロボ電源２７より電力供給を受け、カメラ２１のシャッタの作動に同期して発光する。
【００２５】
本発明に係る撮影システム２では、撮影が行われる直前に検知センサ２４が検知した撮影環境における外光の情報を情報信号として制御装置２３にフィードバックする様になっている。具体的には、検知センサ２４はカメラ２１のシャッタが押された瞬間、これに同期して撮影環境を検知する。すなわち、図２のカメラ２１のシャッタが押されると制御装置２３にシャッタ信号ＳＳが送信され、制御装置２３を介して検知センサ２４が作動可能になる。
【００２６】
ここで、制御装置２３は、ストロボライト２５の発光、カメラ２１や検知センサ２４の作動といった撮影システム２を構成する各種部材の作動を制御するもので、具体的にはコンピュータである。コンピュータである制御装置２３は、システムを構成する各装置が円滑に作動する様に実際に制御を行う処理部（ＣＰＵ）２３１と、各種の情報を記憶しておく記憶部（主記憶部、補助記憶部）２３２、情報の入力を行う入力部、処理結果等を表示する表示部から構成される。なお、図２では表示部と入力部は省略してある。
【００２７】
本発明では、図２に示す様に写真撮影スタジオ１の撮影環境はシャッタ信号ＳＳにより作動開始した検知センサ２４が検知した検知情報ＣＳを環境測定部２８で照度や輝度あるいは色温度といった物理量として測定情報ＤＳに変換し、この測定情報ＤＳを制御装置２３に送信する。制御装置２３では送信された測定情報ＤＳを装置２３の記憶部２３２に記憶されている記録情報ＭＳと照合し、記録情報を演算等の処理を行い、ストロボライト２５が外光の影響をなくすストロボ発光条件で発光を行う様に指示した電力制御信号ＰＳをストロボ電源２７に送信することでストロボライト２５の発光量を制御する。
【００２８】
次に、本発明に係る写真撮影スタジオ１内の撮影環境の検地方法について具体的に説明する。本発明では、写真撮影スタジオ１の撮影環境は検知センサ２４で検知した検知情報ＣＳを環境測定部２８に送信して撮影環境を照度や輝度、あるいは色温度などの物理量に変換する。この様に測定部２８により得られた測定情報ＤＳを制御装置２３の処理部２３１に送信する。
【００２９】
制御装置２３の処理部２３１では、撮影環境における測定値である測定信号ＤＳと、メインメモリ等の記憶部２３２に予め記憶しておいた撮影条件に関する記録情報ＭＳとを照合し、必要とあれば演算処理を行って、外光の影響をなくした状態で撮影を行うストロボ発光量を算出してストロボライト２５の光量を制御する。ここで、記憶部２３２に予め記憶されている情報としては、例えば、撮影直前のスタジオ内の明るさに対応するストロボ発光量に関する情報や、カメラ２１で設定されている絞り値やシャッタ速度に対応するストロボ発光量に関する情報、電子カメラにおける受光素子（ＣＣＤ）性能や銀塩写真カメラにおける使用フィルムの感度に対応させたストロボ発光量に関する情報といった種々の撮影条件に対応したストロボ発光に関する情報等が挙げられる。
【００３０】
そして、制御装置２３は、ストロボライト２５が上記の様に決定した発光を行う様にストロボ電源２７からの電力量を制御する。この時、制御装置２３はストロボ電源２７に電力制御信号ＰＳを送信してストロボライト２５が設定どおりのストロボ発光を行う様に制御する。
【００３１】
この様に、本発明に係る撮影システム２は、検知センサ２４で検知した撮影直前のスタジオ１内の外光の影響を含んだ照明状態を検知し、検知情報を制御装置２３にフィードバックしてストロボライト２５の発光量を外光の影響をなくすレベルの撮影が行える様に調整するものである。したがって、本発明に係る撮影システム２によればスタジオ内に外光が存在していても、外光の影響をなくす光量でのストロボ発光を行って、外光の影響による撮影不良の発生を回避するとともに、適正な光量下での撮影を行える様にしている。
【００３２】
本発明に係る撮影システムに使用される検知手段は、撮影を行う直前のスタジオ内の外光の光量を検知するものである。ここで、検知センサ２４はスタジオ内に存在する外光の光量を検知するものであるが、外光のみの光量を検知するものである必要はなく、スタジオ内に存在する照明ライト１１等から発する光量も含めた状態で光量を検知するものであってもよいことは言うまでもない。外光も含めた状態で光量検知するものであればよい。
【００３３】
検知センサ２４で検知することが可能な撮影環境の因子としては、撮影直前のスタジオ内における光度・光束、輝度、照度、色温度などが挙げられ、検知センサ２４はこれらの因子を検知すべく撮影環境における光の情報を検知する。
【００３４】
そして、検知センサ２４より検知された光の情報は、輝度計、分光測色計、照度計などの測定装置（環境測定部２８）を介して解析され、制御装置２３はこれらの測定装置２８により得られた結果を制御装置２３に送り、制御装置２３では測定結果を制御装置２３内の記憶部に予め記憶されてある前述の撮影条件に対応するストロボ発光条件に関する情報と照合して、その時の撮影環境における外光の影響を相殺するストロボ発光量を決定し、ストロボ電源２７への電力供給量を制御する。
【００３５】
なお、検知センサ２４で検知した光の情報を測定する測定装置２８を、例えば、照度計と分光測色計、輝度計と照度計、輝度計と分光測色計とを併用して測定を行ってもよい。この様に複数種類の測定装置を組み合わせて使用することにより、検知センサ２４で検知情報に基づく測定信号ＤＳの精度が向上し、より高精度な光量制御を行うことが可能である。
【００３６】
本発明で使用される検知センサ２４は、上述した写真撮影スタジオ１内の明るさや色温度などの撮影環境を検知できるものであれば特に限定されるものではない。具体的には、通常知られている光電センサが挙げられ、光ファイバ式、アンプ分離型、アンプ内蔵型などの光電センサが用いられる。
【００３７】
本発明に使用可能な各種検知センサの具体例としては、例えば、オムロン株式会社のホームページ（ｈｔｔｐ：／／ｗｗｗ．ｆａ．ｏｍｒｏｎ．ｃｏ．ｊｐ／ｓｅｎｓｉｎｇ）やキーエンス株式会社のホームページ（ｈｔｔｐ：／／ｗｗｗ．ｋｅｙｅｎｃｅ．ｃｏ．ｊｐ）に記載のカタログに掲載されているものが挙げられる。
【００３８】
本発明に係る撮影システム２は、撮影直前のスタジオ１内の撮影環境を検知することにより、外光の影響が存在する撮影環境の状態を制御装置２３にフィードバックし、制御装置２３がスタジオ内での外光の影響を相殺する照明条件を撮影直前に瞬時に設定する様にした。すなわち、本発明では撮影直前のスタジオ内の撮影環境における外光の影響を読み取り、その結果を制御装置２３の記憶部に記録されている情報と照合し、外光の影響を出さない様なストロボ発光条件を見出し、その発光条件となる様にストロボ電源の出力を制御することにより、外光の影響のない良好な仕上がりの人物写真を得られる様にした。
【００３９】
次に、本発明に係る撮影システムで行われる撮影手順について説明する。図３は本発明に係る撮影システムにおける撮影のフロー図である。
【００４０】
先ず、写真撮影スタジオ１での撮影環境のレイアウト設定を行う。（ステップＳ１）。すなわち、写真撮影スタジオ１内に各種ライティング装置を配置したり、背景画像であるロールスクリーン１２を選択してレイアウト設定を行う。
【００４１】
撮影環境のレイアウトを設定後、カメラ２１の撮影条件を設定する。（ステップＳ２）。本発明では、カメラ２１の撮影条件としては、前述した様にシャッタ速度や絞り値、電子カメラにおける受光素子（ＣＣＤ）や銀塩カメラにおけるフィルム感材の感度といったものが挙げられ、本発明ではカメラ２１に設定したこれらの撮影条件をカメラ信号として制御装置２３の記憶部２３２に記憶させておいてもよい。
【００４２】
次に、被写体Ｈをスタジオ内に配置させて撮影直前の調整作業を行う。（ステップＳ３）。ここは、スタジオ内の被写体Ｈがよい表情で撮影される様にカメラの撮影条件を再度調整する段階で、シャッタを押せばストロボライト２５が同期して発光する状態にするものである。
【００４３】
カメラマンがカメラ２１のシャッタを押すと（ステップＳ４）、カメラ２１よりシャッタ信号が制御装置２３に送信されて検知センサ２４が作動する。そして、検知センサ２４の検知結果に基づいて写真撮影スタジオ１内の撮影環境が外光の影響のない状態で撮影が行われるものか否かを判定する。（ステップＳ５）。この段階でも設定した撮影環境や撮影条件を制御装置２３の記憶部に記録してもよい。制御装置２３が、スタジオ内が外光の影響のない状態でストロボ発光が行えるものと判断した場合（ステップＳ５のＹｅｓ）は、ストロボライト２５が作動して撮影が行われる。（ステップＳ６）。
【００４４】
また、制御装置２３がスタジオ内の撮影環境に存在する外光の影響で良好な仕上がりの写真が撮れないと判断した場合（ステップＳ５のＮｏ）、制御装置２３は検知センサ２４からの情報に基づき、スタジオ内の外光の影響を相殺させる様にストロボライト２５の発光を状況に対応させた適正なストロボ発光を行う様に発光条件を設定する。（ステップＳ７）。設定を行った後、ストロボライト２５の発光が外光の影響を相殺する適正なストロボ発光となるかどうかを確認し（ステップＳ５）、外光の影響を相殺する適正な露光下での撮影が行えると判断した時に（ステップＳ５のＹｅｓ）ストロボライト２５が作動して撮影が行われる。（ステップＳ６）。
【００４５】
以上の工程を経て、本発明に係る撮影システムによる人物撮影が行い、撮影を終了する。この様に、本発明によれば、撮影直前の撮影環境を検知することにより、外光の影響を相殺させた露光を行う様にストロボライト２５の発光量を制御することにより、適正な露光条件下での人物写真撮影を行うことを可能にしている。
【図面の簡単な説明】
【００４６】
【図１】本発明に係る写真撮影スタジオにおける撮影のイメージ図である。
【図２】本発明に係る撮影システムの一例を示すブロック図である。
【図３】本発明に係る撮影システムによる撮影手順のフロー図である。
【符号の説明】
【００４７】
１  写真撮影スタジオ
１１（１１ａ〜１１ｅ）  照明装置
１２  ロールスクリーン
２  撮影システム
２１  撮影手段（カメラ）
２３  制御装置（コンピュータ）
２４  検知センサ
２５（２５ａ〜２５ｃ）  ストロボライト
２７  ストロボ電源
２８  環境測定部
Ｈ  被写体
Ｇ  ギャラリー
ＣＳ  検知信号
ＤＳ  測定信号
ＭＳ  記録信号
ＰＳ  電力制御信号
ＳＳ  シャッタ信号
【図１】
2005303868.tif 000003
【図２】
2005303868.tif 000004
【図３】
2005303868.tif 000005